(57)【特許請求の範囲】
【請求項１】
２つの支持片の夫々の一端側を回動自在に軸によって固定すると共に、クッション部材を固定した夫々の他端側が互いに離反する方向に回動するように引張バネによって付勢した押さえ部材と、
両端の表面に剥離可能な粘着材が付けられることで剥離自在に積層されていると共に、前記２つのクッション部材の相向かい合う内面に、その最下層の両端の裏面が固定されることで、弓形になった凸側を内側に向けて前記押さえ部材内に収納されたタグと、を具備することを特徴とする受粉日マーカー。
【請求項２】
上層の前記タグに付けられた前記粘着材は、下層の前記タグに付けられた前記粘着材と比べて粘着強度が強いことを特徴とする請求項１に記載の受粉日マーカー。
【請求項３】
前記タグの一端に付けられた前記粘着材は、他端に付けられた前記粘着材と比べて粘着強度が弱いことを特徴とする請求項１に記載の受粉日マーカー。
【請求項４】
前記タグは、前記植物の受粉日毎に色づけされていることを特徴とする請求項１〜３の何れかに記載の受粉日マーカー。
【請求項５】
一端が前記軸に固定され、他端が前記２つの支持片の他端側に夫々に達する弓形になった凸側を外側に向けた２つの指掛けばねを具備することを特徴とする請求項１〜４の何れかに記載の受粉日マーカー。
【発明の詳細な説明】
【技術分野】
【０００１】
本発明は、植物の受粉日を識別するタグを植物のつる、果こう、枝又は茎に取り付ける受粉日マーカーに関する。
【背景技術】
【０００２】
従来より、スイカ、メロン等の植物は、人工受粉した後、所定日数後に収穫時期が訪れることが知られている。そのため、それらの栽培農家は受粉日を識別するため、受粉したスイカ等の植物のつる等にクレヨン等の筆記具で印をつけたり、着色棒を立てたりしている。
【０００３】
ここで、特許文献１に開示される園芸用ラベルは、識別用のタグとしても使用できると一見考えられるものであり、受粉日等の情報を記入可能な本体部と、その一端から帯状に伸びて、植物のつる等に巻きつけ可能な巻付け部を有している。この園芸用ラベルは、前記巻付け部を植物のつる等に巻き付けた後、その先端を前記本体部に設けられた差込用切込み部に差し込んだ後折り曲げる。これにより、前記園芸用ラベルは、前記巻付け部の先端が前記差込用切込み部より抜けにくくなり、植物のつる等に取り付けることができるとされている。
【先行技術文献】
【特許文献】
【０００４】
【特許文献１】特開２０１０−１７１０８号公報
【発明の概要】
【発明が解決しようとする課題】
【０００５】
しかしながら、特許文献１に開示される園芸用ラベルにおいては、その植物のつる等への取り付けにあたり、作業者が手で巻付け部を植物のつる等に巻き付ける作業を行う必要があり、大量にスイカ等を栽培する農家においては、取り付け作業に膨大な手間と時間がかかってしまうという問題がある。
【０００６】
そこで、本発明は、簡便な作業で植物の人工受粉日を識別するタグを植物のつる、果こう、枝又は茎に取り付けることができる受粉日マーカーを提供することを目的とする。
【課題を解決するための手段】
【０００７】
請求項１に記載の受粉日マーカーは、２つの支持片の夫々の一端側を回動自在に軸によって固定すると共に、クッション部材を固定した夫々の他端側が互いに離反する方向に回動するように引張バネによって付勢した押さえ部材と、両端の表面に剥離可能な粘着材が付けられることで剥離自在に積層されていると共に、前記２つのクッション部材の相向かい合う内面に、その最下層の両端の裏面が固定されることで、弓形になった凸側を内側に向けて前記押さえ部材内に収納されたタグと、を具備していることを特徴としている。
【０００８】
請求項２に記載の受粉日マーカーは、上層の前記タグに付けられた前記粘着材が、下層の前記タグに付けられた前記粘着材と比べて粘着強度が強いことを特徴としている。
【０００９】
請求項３に記載の受粉日マーカーは、前記タグの一端に付けられた前記粘着材が、他端に付けられた前記粘着材と比べて粘着強度が弱いことを特徴としている。
【００１０】
請求項４に記載の受粉日マーカーは、前記タグが、前記植物の受粉日毎に色づけされていることを特徴としている。
【００１１】
請求項５に記載の受粉日マーカーは、一端が前記軸に固定され、他端が前記２つの支持片の他端側に夫々に達する弓形になった凸側を外側に向けた２つの指掛けばねを具備することを特徴としている。
【発明の効果】
【００１２】
請求項１に記載の受粉日マーカーは、一端側が回動自在に軸により固定された２つの支持片の他端側にクッション部材を固定した押さえ部材と、剥離自在に積層されて、２つのクッション部材の相向かい合う内面にその最下層の両端が固定されたタグを具備している。植物のつる、果こう、枝又は茎へのタグの取り付けを行う際は、まず、弓形となって抑え部材内に収納されているタグの内周側に前記植物のつる、果こう、枝又は茎を位置させる。この状態で、２つの支持片を押圧して引張バネの付勢力に抗して回動させて、２つのクッション部材を接近させ撓ませることにより、粘着材が付けられたタグの両端の表面を互いに密着させる。これにより、タグは両端の表面が粘着させられて、前記植物のつる、果こう、枝又は茎に取り付けられる。当該タグは、前記２つの支持片が、それへの押圧の解除後、引張バネの付勢力でクッション部材を固定した夫々の他端側を互いに離反する方向に回動することにより、自動的に積層された状態から剥離できる。従って、本受粉日マーカーは、タグの取り付けを容易且つ迅速に行うことができる。更に、本受粉日マーカーは、タグが積層されていることにより、一枚毎に新たにタグを装着する必要なく、連続的に多数の植物のつる、果こう、枝又は茎へタグを取り付けることができる。このことも相俟って、本受粉日マーカーは、大量にスイカ等の植物を栽培する農家においても好適に使用できる。
【００１３】
請求項２に記載の受粉日マーカーは、上層のタグに付けられた粘着材が、下層のタグに付けられた粘着材と比べて粘着強度が強い。これにより、２つのクッション部材を接近させることで両端の表面が上記粘着材により粘着させられて植物のつる、果こう、枝又は茎に取り付けられた上層のタグは、２つの支持部材が互いに離反する方向に回動することにより、自動的に積層された状態から剥離される。従って、上記構成は、本受粉日マーカーを使用したタグの取り付け作業の作業性を更に高めるという効果を発揮する。
【００１４】
請求項３に記載の受粉日マーカーは、タグの一端に付けられた粘着材が、他端に付けられた粘着材と比べて粘着強度が弱い。これにより、２つのクッション部材を近接させることで両端の表面が上記粘着材により粘着させられて植物のつる、果こう、枝又は茎に取り付けられた上層のタグの粘着強度の弱い方である一端は、２つの支持部材が互いに離反する方向に回動することにより、自動的に積層された状態から剥離される。この状態で、当該タグを押さえ部材より引き離せば、その粘着強度の強い方である他端も容易に積層された状態より剥離できる。従って、上記構成は、請求項２の構成と同様に、本受粉日マーカーを使用したタグの取り付け作業の作業性を更に高めるという効果を発揮する。
【００１５】
請求項４に記載の受粉日マーカーは、タグが色づけされていることにより、作業者が離れた場所からでも容易に受粉日を認識できるので、出荷前の個数の集計が容易になり、更に当該タグが取り付けられた植物の収穫作業等の際に、収穫忘れ等のトラブルが発生することを未然に防ぐことができる。
【００１６】
請求項５に記載の受粉日マーカーは、一端が軸に固定され他端が２つの支持片の他端側に夫々達する２つの指掛ばねを備えているので、作業者が指掛ばねに指を引っ掛けて押さえ部材を保持及び操作できる。従って、上記構成は、本受粉日マーカーを使用したタグの取り付け作業の作業性を更に高めるという効果を発揮する。又、指につけたままで、他の作業もし易くなる。
【図面の簡単な説明】
【００１７】
【図１】受粉日マーカーの全体構成を示す斜視図。
【図２】押さえ部材の平面図。
【図３】積層されたタグを示す拡大図であり、（Ａ）は平面図、（Ｂ）は側面図、（Ｃ）は底面図。
【図４】受粉日マーカーを用いて、植物のつるにタグを取り付ける方法を説明する平面図であり、（Ａ）はクッション部材の間に植物のつるを挿入した状態を示す平面図、（Ｂ）はクッション部材同士を近接させることによりタグの一面の一端と他端とを粘着させた状態を示す平面図。
【図５】植物のつるに取り付けられたタグを積層されたタグから剥離した状態を示す平面図。
【図６】他の実施形態の積層されたタグを示す拡大図であり、（Ａ）は平面図、（Ｂ）は側面図、（Ｃ）は底面図。
【発明を実施するための形態】
【００１８】
以下、本発明の受粉日マーカー１の実施形態について、各図を参照しつつ説明する。受粉日マーカー１は、受粉したスイカ雌花２ａの果こう２ｂ、又はスイカ雌花２ａ付近のつる２に、人工受粉日を識別可能なタグ３を取り付けるものであり、図１に示すように作業者が指１２に掛けて使用するものである。この受粉日マーカー１は、受粉したスイカ雌花２ａの果こう２ｂ又は、スイカ雌花２ａ付近のつる２に限らず、メロン等多様な植物のつる、果こう、枝又は茎に、受粉日を識別可能なタグ３を取り付けることができるものであり、図１及び図２に示すように、２つの湾曲した支持片４ａ、４ｂ夫々の一端側を回動自在にボルト９及びナット１０によって固定すると共に、タグ３が装着されるクッション部材５ａ、５ｂを固定した夫々の他端側が互いに離反する方向に回動するように引張バネ１１により付勢した押さえ部材５を具備している。
【００１９】
前記支持片４ａ、４ｂは、夫々湾曲した形状を有しており、樹脂、金属等の材料により剛性を有して構成されている。支持片４ａ、４ｂの一端側は、互いに重ね合わせることができるように形成されており、当該部分にはボルト９を挿通するための図外の貫通孔が設けられている。支持片４ａ、４ｂは、一端側を互いに重ね合わせた状態で、前記貫通孔を挿通するボルト９にナット１０を取り付けることで、互いにボルト９を軸として回動可能に固定される。又、支持片４ａ、４ｂの他端側には、夫々、湾曲の内周面から切欠が設けられている。この切欠には、夫々、ゴム等の弾性を有する材料により構成されるクッション部材５ａ、５ｂが、自身の長手方向の半分程度の長さ分だけ突出するように固定されている。
【００２０】
なお、支持片４ａ、４ｂは、夫々一体の材料を上記の通り形成することにより構成してよいが、製造を容易にするために、複数枚のプレートを積層して構成してもよい。この場合は、支持片４ａ、４ｂを夫々構成する複数枚のプレートを所定形状に形成した後、積層し、その所定位置に設けられた図外の貫通孔を挿通するボルト７とナット８とにより、夫々締め付けて一体化することにより、支持片４ａ、４ｂを構成する。
【００２１】
又、前記ボルト９には、弓形になった凸側を外側に向けるように湾曲した線材からなる指掛けばね１２ａ、１２ｂの一端が固定されている。この指掛けばね１２ａ、１２ｂの他端は、支持片４ａ、４ｂの他端側に夫々達している。作業者は、図１に示すように、この指掛けばね１２ａ、１２ｂに親指と中指を引っ掛けて、押さえ部材５を保持して、支持片４ａ、４ｂ、及びクッション部材５ａ、５ｂを内側方向に押圧することにより、２つのクッション部材５ａ、５ｂの相向かい合う面を近接させることができる。又、作業者が支持片４ａ、４ｂ等に対する上記押圧を行っていない場合においては、図２に示すように、他端側に取り付けられた引張バネ１１の付勢力により、２つのクッション部材５ａ、５ｂとは所定距離開いた状態となる。
【００２２】
２つのクッション部材５ａ、５ｂに装着される前記タグ３は、図３に示すように、柔軟性を有した短冊形状のものであり、スイカ雌花２ａの人工受粉日が識別可能なように、赤色、青色、黄色等、受粉日ごとに色分けされて、色づけされたもの等である。なお、タグ３は、スイカ雌花２ａの受粉日が識別可能であれば、色づけする以外にスイカ雌花２ａの受粉日を記入したもの等であってもよいが、色付けすることにより作業者が離れた位置からでも受粉日を識別し易いというメリットがある。又、タグ３は、受粉したスイカ雌花２ａの果こう２ｂに取り付けることにより、スイカの直近に配置されることになるので、作業者が当該スイカの受粉日を認識し易いというメリットがあるが、スイカ雌花２ａの果こう２ｂは柔らかくタグ３の取り付けが難しいので、タグ３はスイカ雌花２ａ付近のつる２に取り付けるのが一般的である。又、タグ３は、ビニールハウス等の施設内で使用する場合には耐候性を有した材料により構成する必要が無く、例えば紙により構成してよい。タグ３を紙により構成することで、使用後分解され易く環境負荷が小さくなるというメリットがある。
【００２３】
又、タグ３は、その表面１３の一端３ａ及び他端３ｂに剥離可能な粘着材１４が付けられた状態で、初期状態で１００枚程度積層されている。なお、図３においては、簡略化して示すため３枚のタグ３が積層された状態を示している。
【００２４】
ここで、タグ３が積層された状態で、上層のタグ３に付けられた粘着材１４は下層のタグ３に付けられた粘着材１４に比べて粘着強度が強くなるように構成されている。即ち、タグ３は、上層から下層にかけて付けられる粘着材１４の粘着強度が順次低下するように積層されている。これは、タグ３が積層された状態より上層から１枚ずつ剥がれるようにするためである。なお、粘着材１４の粘着強度が上層から下層にかけて順次低下するようにタグ３を積層するためには、図３に示すように粘着材１４が付けられる幅を、上層から下層にかけて徐々にせまくすればよい。或いは、粘着材１４の組成を上層から下層にかけて変化させて粘着強度が徐々に弱くなるようにしても同様の効果が得られる。
【００２５】
又、積層されたタグ３のうち、最も下層のタグ３の裏面１５の一端３ａ及び他端３ｂが、クッション部材５ａ、５ｂの互いに相向かい合う内面に夫々固定されることにより、タグ３は、図１に示すように、積層された状態でクッション部材５ａ、５ｂに装着されて、弓形になった凸側を内側向けて押さえ部材５内に収納された状態となる。
【００２６】
なお、上記タグ３の裏面１５の一端３ａ及び他端３ｂのクッション部材５ａ、５ｂへの固定は、その固定の強度を増すために、ゴムや薄いアルミ等の弾性を有する材質により構成される支持プレート１６ａ、１６ｂを介在させて行ってもよい。この場合には、図３に示すように、予め最も下層のタグ３の裏面１５の一端３ａ及び他端３ｂに支持プレート１６ａ、１６ｂを夫々接着しておき、当該支持プレート１６ａ、１６ｂをクッション部材５ａ、５ｂの互いに相向かい合う内面に夫々固定する。
【００２７】
以上のように、押さえ部材５内にタグ３が収納された受粉日マーカー１を用いたスイカ雌花２ａの果こう２ｂ又はスイカ雌花２ａ付近のつる２へのタグ３の取り付けは、図４及び図５に示すようにして行う。まず、図４（Ａ）に示すように、弓形となって押さえ部材５内に収納されているタグ３の内周側につる２を位置させる。この際、作業者は、図１に示すように指掛けばね１２ａ、１２ｂに親指と中指を掛けることができるので、容易に押さえ部材５を保持及び操作することができる。
【００２８】
次に、図４（Ｂ）に示すように、引張バネ１１の付勢力に抗して、クッション部材５ａ、５ｂが互いに近接するように、支持片４ａ、４ｂ及びクッション部材５ａ、５ｂを内側方向に押圧する。この際、クッション部材５ａ、５ｂ及び支持プレート１６ａ、１６ｂが弾性を有していることにより、これらは撓む。これにより、積層されたタグ３のうち、最も上層のタグ３の表面１３の一端３ａ及び他端３ｂは、面として密着し、それらは夫々に付けられた粘着材１４により粘着させられるので、つる２の周囲を完全に囲んだ状態で、当該タグ３はリング状に形成されて、当該つる２に取り付けられる。
【００２９】
次に、作業者は、支持片４ａ、４ｂ及びクッション部材５ａ、５ｂの内側方向への押圧をやめて、図５に示すように、引張バネ１１の付勢力によりクッション部材５ａとクッション部材５ｂが所定距離はなれた状態に戻す。これによって、つる２に取り付けられたタグ３が積層された状態より自動的に剥離される。これにより、つる２へのタグ３の取り付け作業が完了する。
【００３０】
なお、上記作業において、下層のタグ３の積層が維持されることを確実にするために、作業者は、下層のタグ３の一端３ａ付近及び他端３ｂ付近を夫々クッション部材５ａ及びクッション部材５ｂ側に空いているもう一方の手の指で軽く押圧しつつ、支持片４ａ、４ｂ及びクッション部材５ａ、５ｂの内側方向への押圧を停止してもよい。
【００３１】
ここで、積層されたタグ３は、上述の通り、粘着材１４による粘着強度が上層から下層にかけて順次低下するように積層されていると、図５（Ｂ）の作業によりつる２に取り付けられた上層のタグ３の表面１３の一端３ａと他端３ｂとの粘着強度は、その下層のタグ３に取り付けられた粘着材の粘着強度より強いことから、引張バネ１１の付勢力によりクッション部材５ａ、５ｂが所定距離はなれた状態に戻る際に、つる２に取り付けられた最も上層のタグ３のみが剥離される。従って、もう一方の開いた手の指でタグ３を押さえることなく、片方の手のみの操作でタグ付けを行うことができる。
【００３２】
以上説明したように、受粉日マーカー１は、人工受粉したスイカ雌花２ａの果こう２ｂ、又はスイカ雌花２ａ付近のつる２等、多様な植物のつる、果こう、枝又は茎に、受粉日を識別可能なタグ３を取り付けることができる。当該タグ３の取り付け作業は、積層されたタグ３が装着された押さえ部材５のクッション部材５ａ、５ｂの間に、つる２等を挿入した状態で、支持片４ａ、４ｂ及びクッション部材５ａ、５ｂを片方の手の指で近接させて、タグ３の一端３ａ及び他端３ｂを粘着材１４により粘着させることによりできるので、容易、且つ、迅速に行うことができる。
【００３３】
また、受粉日マーカー１は、タグ３が積層されていることにより、１枚ずつタグ３をクッション部材５ａ、５ｂに装着する必要がなく、連続して多数のつる２等へタグ３を取り付けることができる。このことも相俟って、受粉日マーカー１は、大量にスイカ等を栽培する農家においても好適に使用することができる。
【００３４】
なお、本発明の実施の形態は上述の形態に限ることなく、本発明の思想の範囲を逸脱しない範囲で適宜変更することができる。例えば、図６に示すような、タグ３の表面の一端３ａに粘着材１７ａを、他端３ｂに粘着材１７ａより粘着強度が強い粘着材１７ｂを付けて積層されたタグ３を使用してもよい。これは、粘着材１７ａ、１７ｂを同じ粘着強度の粘着材で構成した場合でも、粘着材１７ａが付けられる幅を、粘着材１７ｂが付けられる幅に比べて狭くすることで実現できる。
【００３５】
上記粘着材１７ａ、１７ｂが付けられたタグ３も、図４に示す方法にてスイカ雌花２ａの果こう２ｂ又はスイカ雌花２ａ付近のつる２等に取り付けることができる。そして、つる２に取り付けられたタグ３の積層された状態からの剥離は、まず、作業者が支持片４ａ、４ｂ及びクッション部材５ａ、５ｂの内側方向への押圧をやめて、引張バネ１１の付勢力によりクッション部材５ａとクッション部材５ｂが所定距離はなれた状態に戻す。これによって、つる２に取り付けられたタグ３の粘着強度の弱い方である一端３ａが積層された状態より自動的に剥離される。なお、この作業において、下層のタグ３の積層が維持されることを確実にするために、作業者は、下層のタグ３の一端３ａ付近をクッション部材５ａ側に空いている指で軽く押圧しつつ、支持片４ａ、４ｂ及びクッション部材５ａ、５ｂの内側方向への押圧を停止してもよい。
【００３６】
次に、つる２に取り付けられたタグ３と押さえ部材５とを引き離せば、つる２に取り付けられたタグ３の粘着強度の強い方である他端３ｂも積層された状態より剥離される。なお、この作業において、下層のタグ３の積層が維持されることを確実にするために、作業者は、下層のタグ３の他端３ｂ付近をクッション部材５ｂ側にもう一方の手の空いている指で軽く押圧しつつ、つる２に取り付けられたタグ３と押さえ部材５とを引き離してもよい。
【００３７】
以上により、粘着材１７ａ、１７ｂが付けられたタグ３を用いた場合でも、粘着材１４が付けられたタグ３を用いる場合と同様に、受粉日マーカー１を用いて、容易、且つ、迅速につる２へのタグ３の取り付けを行うことができる。
【産業上の利用可能性】
【００３８】
本発明に係る受粉日マーカー１は、受粉日を識別可能なタグ３の、人工受粉したスイカ雌花２ａの果こう２ｂ又はスイカ雌花２ａ付近のつる２等、多様な植物のつる、果こう、枝又は茎への取り付けに好適に用いることができる。
【符号の説明】
【００３９】
１  受粉日マーカー
３  タグ
３ａ  一端
３ｂ  他端
４ａ、４ｂ  支持片
５  押さえ部材
５ａ、５ｂ  クッション部材
９  ボルト
１３  表面
１４、１７ａ、１７ｂ  粘着材
１５  裏面
【図１】
0005515011.tif 000002
【図２】
0005515011.tif 000003
【図３】
0005515011.tif 000004
【図４】
0005515011.tif 000005
【図５】
0005515011.tif 000006
【図６】
0005515011.tif 000007